(57)【要約】      （修正有）【課題】銃管の迅速な取り外し及び交換・組み立てが可能である、トイガンの銃管固定リングの改良構造の提供。 【解決手段】銃身部、固定リング、ガス管、銃管、照準器を含み、前記銃身部の中心に前記固定リングに対応する固定部を設け、前記固定部の片側に前記ガス管に対応する位置決め孔を形成し、前記固定リングに貫通孔及び固定槽を設け、前記貫通孔に位置決めリング、位置決め部材、弾性バネ片及び固定弾性片を設置し、前記固定槽が前記照準器の片側に嵌設されるガス管に対応し、前記銃管が照準器の片側に延伸された嵌設槽及び固定リングの中心位置に穿設された位置決めリングと位置決め部材に対応し、前記位置決めリングと、前記位置決めリングの片側の位置決め部材が、特殊工具で前記位置決めリングの位置決め部材を回転させると、前記位置決めリング及び照準器に嵌設された銃管を取り外して分離することができる。【選択図】図３
0003121574.tif 000002
【実用新案登録請求の範囲】
【請求項１】
主にトイガンの銃身部、固定リング、ガス管、銃管及び照準器を含み、そのうち、前記銃身部の中心に前記固定リングに対応する固定部を設け、且つ、前記固定部の片側に前記ガス管に対応する位置決め孔を形成し、そのうち、前記固定リングに貫通孔及び固定槽を設け、且つ、前記貫通孔に位置決めリング、位置決め部材、弾性バネ片及び固定弾性片を設置し、前記固定槽が前記照準器の片側に嵌設されるガス管に対応し、そのうち、前記銃管が照準器の片側に延伸された嵌設槽、及び固定リングの中心位置の位置決めリングと位置決め部材に対応し、前記固定リングの中心位置に穿設された位置決めリングと、前記位置決めリングの片側の位置決め部材が、特殊工具で前記位置決めリングの位置決め部材を回転させると、前記位置決めリング及び照準器に嵌設された銃管を取り外して分離することができ、前記照準器及びガス管を予め分離する必要なく、銃管の迅速な取り外し及び交換・組み立てが可能である構成としたことを特徴とするトイガンの銃管固定リングの改良構造。
【請求項２】
前記位置決めリング及び位置決め部材が、銃管に対応する分離式の固定機構であり、前記位置決めリング及び位置決め部材が、特殊工具で位置決め部材を回転させると、前記位置決めリングの銃管を取り外して分離することができ、前記照準器及びガス管を予め分離する必要なく、銃管の迅速な取り外し及び交換・組み立てが可能であり、同時に銃管の分離過程を簡略化することができる構成としたことを特徴とする請求項１に記載のトイガンの銃管固定リング改良構造。
【考案の詳細な説明】
【技術分野】
【０００１】
本考案はトイガンの銃管固定リング改良構造に関し、固定リングの位置決めリング及び前記位置決めリングの位置決め部材において、特殊工具で前記位置決めリングの位置決め部材を回転させ、前記位置決めリング及び照準器間の銃管を取り外すとき、照準器及びガス管を予め分離する必要がなく、銃管を迅速に取り外したり、交換・組み立てたりすることができる、トイガンの銃管固定リング改良構造に関する。
【背景技術】
【０００２】
一般的な銃管の固定リングの構造は、図１及び図２に示すように、トイガンＡの銃身部Ａ１及び照準器Ａ２間にガス管Ａ３、銃管Ａ４及び固定リングＢが設置され、そのうち、前記固定リングＢは位置決めリングＢ１、弾性体Ｂ２及び固定片Ｂ３を含み、前記位置決めリングＢ１はさらに一体として形成された位置決め部材Ｂ４を備え、トイガンＡの銃管Ａ４を取り外し分離するときは、まず銃身部Ａ１及び照準器Ａ２の間に嵌設された前記ガス管Ａ３及び照準器Ａ２を予め分離し、固定リングＢの中心に穿通された銃管Ａ４の取り外しや交換・組み立てを行う必要がある。しかしながら、前記一体成型の固定リングＢ１及び位置決め部材Ｂ４が、使用者の分解・組み立てにおける不便さを招きやすいだけでなく、前記トイガンＡ及び銃管Ａ４の分離過程もより複雑になってしまう。
【０００３】
このため、いかに上述の欠点を排除するかが、本考案が解決する技術的問題点である。
【考案の開示】
【考案が解決しようとする課題】
【０００４】
本考案の目的は、銃管の迅速な取り外し及び交換・組み立てが可能である、トイガンの銃管固定リングの改良構造を提供することにある。
【課題を解決するための手段】
【０００５】
本考案のトイガンの銃管固定リングの改良構造は、主にトイガンの銃身部、固定リング、ガス管、銃管及び照準器を含み、そのうち、前記銃身部の中心に前記固定リングに対応する固定部を設け、且つ、前記固定部の片側に前記ガス管に対応する位置決め孔を形成し、そのうち、前記固定リングに貫通孔及び固定槽を設け、且つ、前記貫通孔に位置決めリング、位置決め部材、弾性バネ片及び固定弾性片を設置し、前記固定槽が前記照準器の片側に嵌設されるガス管に対応し、そのうち、前記銃管が照準器の片側に延伸された嵌設槽、及び固定リングの中心位置の位置決めリングと位置決め部材に対応し、前記固定リングの中心位置に穿設された位置決めリングと、前記位置決めリングの片側の位置決め部材が、特殊工具で前記位置決めリングの位置決め部材を回転させると、前記位置決めリング及び照準器に嵌設された銃管を取り外して分離することができ、前記照準器及びガス管を予め分離する必要なく、銃管の迅速な取り外し及び交換・組み立てが可能であることを特徴とする。    
【考案の効果】
【０００６】
本考案の進歩性と実用性をよりはっきりと示すため、以下、従来品と比較して分析する。
《従来品の欠点》
一、固定リングの中心に一体成型の位置決めリング及び位置決め部材が穿設されている。
二、第一点を受け、銃管を取り外して分離する前に、ガス管及び照準器を予め分離する必要がある。
三、第二点を受け、使用者が銃管の交換のため分解及び組み立てを行う際に不便である。
四、第二点を受け、トイガン及び銃管の分解過程及び操作過程が複雑である。
《本考案の利点》
一、固定リングの中心の位置決めリング及び位置決め部材が分離式の構造で取り外しができる。
二、第一点を受け、銃管を取り外して分離する前にガス管及び照準器を取り外す必要がない。
三、第一点を受け、位置決めリング及び位置決め部材の構造により、迅速な取り外しができる。
四、トイガン及び銃管の分解過程及び操作過程が簡単で迅速である。
五、進歩性と実用性を備えている。
六、産業的競争力を向上できる。      
【考案を実施するための最良の形態】
【０００７】
以下、本考案について図面、符号及び実施例に基づき詳細に説明する。本考案のトイガン銃管固定リングの改良構造は、図３及び図４に示すように、トイガンＣの銃身部Ｄ、固定リングＥ、ガス管Ｆ、銃管Ｇ及び照準器Ｈから構成される。
【０００８】
そのうち、前記トイガンＣの銃身部Ｄには固定部Ｄ１が設けられ、且つ、前記固定部Ｄ１に固定リングＥが嵌設され、また、前記固定部Ｄ１にはガス管Ｆが嵌設される位置決め孔Ｄ２が形成される。
【０００９】
そのうち、前記固定リングＥには貫通孔Ｅ１及び固定槽Ｅ２が設けられ、且つ、前記貫通孔Ｅ１に位置決めリングＥ３、位置決め部材Ｅ４、弾性バネ片Ｅ５及び固定弾性片Ｅ６が設置される。
【００１０】
また、前記固定リングＥの位置決めリングＥ３及び位置決め部材Ｅ４は、分離式の銃管Ｇの固定機構であり、且つ、前記固定槽Ｅ２が照準器Ｈの片側に嵌設されるガス管Ｆに対応する。
【００１１】
そのうち、前記ガス管Ｆが照準器Ｈ片側の嵌設槽Ｈ１に、固定リングＥの中心が穿設された位置決めリングＥ３及び銃身部Ｄ片側に延伸された位置決め孔Ｄ２に対応する。
【００１２】
そのうち、前記銃管Ｇが固定リングＥの位置決めリングＥ３及び位置決めリングＥ３片側の位置決め部材Ｅ４に対応し、また、前記銃管Ｇの他方の側が照準器Ｈの穿通部Ｈ２に対応する。
【００１３】
そのうち、前記照準器Ｈには嵌設槽Ｈ１が設けられ、且つ、前記嵌設槽Ｈ１は銃管Ｇ片側のガス管Ｆに対応し、また、前記照準器Ｈ片側に銃管Ｇに対応する穿通部Ｈ２が設置される。
【００１４】
固定リングＥの位置決めリングＥ３及び位置決めリングＥ３の位置決め部材Ｅ４が特徴的であり、特殊工具により前記位置決めリングＥ３の位置決め部材Ｅ４を回転させると、前記位置決めリングＥ３及び照準器Ｈの銃管Ｇを取り外して分離することができ、照準器Ｈ及びガス管Ｆを予め分離する必要なく、銃管Ｇの迅速な取り外しと交換・組み立てが可能である。そのうち、前記上銃身ＤはトイガンＣのボルト部Ｆと、給弾機構であるギアボックスＥを備え、前記ボルト部ＦはトイガンＣの上部に設置され、前記ギアボックスＥはトイガンＣの底部に設置されると共に、前記ボルト部Ｆ及びギアボックスＥ間にスライド機構Ｇが設置される。
【００１５】
本考案の実施方式は、図４及び図５に示すように、前記トイガンＣの銃身部Ｄには固定部Ｄ１が設置され、且つ、前記固定部Ｄ１が銃管Ｇを嵌設する固定リングＥに対応し、また、前記固定部Ｄ１片側を延伸して位置決め孔Ｄ２が設けられ、且つ、前記位置決め孔Ｄ２が照準器Ｈ片側に嵌設されるガス管Ｆに対応し、そのうち、前記固定リングＥにはガス管Ｆに対応する固定槽Ｅ２及び位置決めリングＥ３、位置決め部材Ｅ４、弾性バネ片Ｅ５及び固定弾性片Ｅ６が嵌設される貫通孔Ｅ１が設けられ、また、前記照準器Ｈ片側にガス管Ｆに対応する嵌設槽Ｈ１及び銃管Ｇが嵌設される穿通部Ｈ２が設置される。
【００１６】
また、前記トイガンＣの銃身部Ｄ、固定リングＥ、ガス管Ｆ、銃管Ｇ及び照準器Ｈを結合させるときは、固定リングＥの位置決めリングＥ３、位置決め部材Ｅ４、弾性バネ片Ｅ５及び固定弾性片Ｅ６を設置・固定して一体を成し、トイガンＣのガス管Ｆ及び銃管Ｇを前記固定リングＥ、位置決めリングＥ３及び位置決め部材Ｅ４に連結するとき、ガス管Ｆ及び銃管Ｇを銃身部Ｄに連結させると共に、前記ガス管Ｆ及び銃管Ｇは照準器Ｈの嵌設槽Ｈ１及び嵌設槽Ｈ１片側の穿通部Ｈ２に連結させることができる。
【００１７】
そのうち、前記固定リングＥには貫通孔Ｅ１及び固定槽Ｅ２が設けられ、且つ、前記貫通孔Ｅ１は位置決めリングＥ３、位置決め部材Ｅ４、弾性バネ片Ｅ５及び固定弾性片Ｅ６が設置され、そのうち前記位置決めリングＥ３及び位置決め部材Ｅ４は分離式の銃管Ｇに対応する固定機構であり、前記位置決めリングＥ３及び位置決め部材Ｅ４は、特殊工具で前記位置決め部材Ｅ４を回転させると、位置決めリングＥ３の銃管Ｇを外して分離することを可能にし、照準器Ｈ及びガス管Ｆを予め分離する必要なく、銃管Ｇの迅速な取り外し及び交換・組み立てを行うことができる。
【００１８】
以上で述べた説明は、本考案の最良の実施例に基づくものであり、本考案の特許範囲を制限するものではなく、本考案の明細書及び図面の内容に基づく同等効果を得る構造を直接的または間接的にその他関連技術領域に運用したものはすべて、本考案の要旨の範囲内に含まれるものとみなす。
【００１９】
上述のように、本考案は従来技術を打破する構造の下、確実にその増進を図る効果を達成することができ、且つ、関連技術を熟知した人物でなくとも容易に理解することができ、さらに、本考案はその出願以前に公開されたことがなく、その進歩性、実用性は実用新案登録出願の要件を満たしているため、法に基づきここに実用新案登録を出願するものである。
【図面の簡単な説明】
【００２０】
【図１】従来品の立体分解図である。
【図２】従来品の部分拡大立体分解図である。
【図３】本考案の立体斜視図である。
【図４】本考案の立体分解図である。
【図５】本考案の部分拡大立体分解図である。
【符号の説明】
【００２１】
Ａ        トイガン
Ａ１      銃身部
Ａ２      照準器
Ａ３      ガス管
Ａ４      銃管 
Ｂ        固定リング
Ｂ１      位置決めリング
Ｂ２      弾性体
Ｂ３      固定片
Ｂ４      位置決め部材
Ｃ        トイガン
Ｄ        銃身部
Ｄ１      固定部
Ｄ２      位置決め孔
Ｅ        固定リング
Ｅ１      貫通孔
Ｅ２      固定槽
Ｅ３      位置決めリング
Ｅ４      位置決め部材
Ｅ５      弾性バネ片
Ｅ６      固定弾性片
Ｆ        ガス管
Ｇ        銃管 
Ｈ        照準器
Ｈ１      嵌設槽
Ｈ２      穿通部
【図１】
0003121574.tif 000003
【図２】
0003121574.tif 000004
【図３】
0003121574.tif 000005
【図４】
0003121574.tif 000006
【図５】
0003121574.tif 000007